(57)【要約】【課題】ユーザが外音を聞き取りやすいイヤホンを提供する。【解決手段】イヤホンは、イヤーピースが配置される側に設けられた第１開口１５と、外音取り入れのために設けられた第２開口１４と、を有する中空状の本体部１０と、本体部１０の内部に配置され、音データに基づいて音を生成するドライバユニット４０と、を備える。ドライバユニット４０は、第１開口１５の中心と第２開口１４の中心とを結ぶ直線Ｌ４上には配置されない。【選択図】図６
2020057979.tif 000002
【特許請求の範囲】
【請求項１】
イヤーピースが配置される側に設けられた第１開口と、外音取り入れのために設けられた第２開口と、を有する中空状の本体部と、
前記本体部の内部に配置され、音データに基づいて音を生成するドライバユニットと、
を備え、
前記ドライバユニットは、前記第１開口の中心と前記第２開口の中心とを結ぶ直線上に配置されない、
ことを特徴とするイヤホン。
【請求項２】
前記第２開口に張設される防水膜をさらに備える、
ことを特徴とする請求項１に記載のイヤホン。
【請求項３】
前記本体部の内部に配置され、前記ドライバユニットが発生させた音を前記第１開口へと導く導音部をさらに備える、
ことを特徴とする請求項１又は２に記載のイヤホン。
【請求項４】
前記導音部は、前記第１開口の中心と前記第２開口の中心とを結ぶ直線上に配置されない、
ことを特徴とする請求項３に記載のイヤホン。
【請求項５】
前記導音部の音の出口として設けられた導音部の開口に、防水膜が張設される、
ことを特徴とする請求項３又は４に記載のイヤホン。
【請求項６】
前記本体部は、略重力方向に向けて突出する中空の突出部をさらに有し、
前記ドライバユニットは、前記突出部の内部に配置される、
ことを特徴とする請求項１から５のいずれか１項に記載のイヤホン。
【請求項７】
前記本体部は、前記第２開口から前記第１開口に向かうに従って径が細くなるテーパ状の曲面を有する、
ことを特徴とする請求項１から６のいずれか１項に記載のイヤホン。
【請求項８】
前記音データを所定の時間分記憶する記憶部をさらに備える、
ことを特徴とする請求項１から７のいずれか１項に記載のイヤホン。
【請求項９】
アンテナを内蔵したイヤーフックをさらに備える、
ことを特徴とする請求項１から８のいずれか１項に記載のイヤホン。
【請求項１０】
請求項１から９のいずれか１項に記載のイヤホンを互いに電気的に接続する接続部を備える、
ことを特徴とするイヤホンセット。
【発明の詳細な説明】
【技術分野】
【０００１】
本発明は、イヤホン及びイヤホンセットに関する。
【背景技術】
【０００２】
イヤホンは、移動中等に音楽を聞いたり、スポーツ競技時等にコーチからの指示を聞いたりするため等に使用される装置である。従って、通常、イヤホンは、ノイズとなる外部の音が入りにくい構造であるが、特許文献１のように外部の音を聞くことができるものがある。
【先行技術文献】
【特許文献】
【０００３】
【特許文献１】登録実用新案第３２０２０３５号公報
【発明の概要】
【発明が解決しようとする課題】
【０００４】
サーフィン等のスポーツでは、イヤホンが発する音だけでなく、安全の確保等のために外音を聞く必要もある。しかしながら、特許文献１に記載のイヤホンには、出音管１３１と貫通孔１１１との間にホーン単体２０等のスピーカユニットが介在するので、ユーザは外音が聞き取りにくい。
【０００５】
そこで、本発明は、上記問題を解決するためになされたものであり、外音を聞き取りやすいイヤホンを提供することを目的とする。
【課題を解決するための手段】
【０００６】
上記目的を達成するため、本発明のイヤホンは、
イヤーピースが配置される側に設けられた第１開口と、外音取り入れのために設けられた第２開口と、を有する中空状の本体部と、
前記本体部の内部に配置され、音データに基づいて音を生成するドライバユニットと、
を備え、
前記ドライバユニットは、前記第１開口の中心と前記第２開口の中心とを結ぶ直線上に配置されない、
ことを特徴とする。
【発明の効果】
【０００７】
本発明によれば、外音を聞き取りやすい。
【図面の簡単な説明】
【０００８】
【図１】（ａ）は、本発明の実施形態に係るイヤホンの外観を示す正面図、（ｂ）は、イヤーピースを外したイヤホンの側面図である。
【図２】本実施形態に係る本体部の側面断面図である。
【図３】本実施形態に係るイヤホンのドライバユニットのブロック図である。
【図４】本実施形態に係るイヤホンのドライバユニットの配置を示す側面断面図である。
【図５】（ａ）は、本発明の変形例に係るイヤホンのハウジングを示す正面図、（ｂ）は、（ａ）のＶｂ−Ｖｂ断面図である。
【図６】本発明の変形例に係るイヤホンのドライバユニットが配置されない範囲を示す側面断面図である。
【発明を実施するための形態】
【０００９】
以下、本発明の実施形態に係るイヤホンについて、図表を参照して説明する。なお、図中同一又は相当部分には同一符号を付す。また、理解を容易にするため、各図に示すように、上、下、内耳側、外部側を設定し、適宜参照する。
【００１０】
本発明の実施形態に係るイヤホンは、外音を聞くことが出来、腕時計等の外部機器とＢｌｕｅｔｏｏｔｈ（登録商標）等の無線通信で音声データを取得する、左右独立型のワイヤレス防水イヤホンである。
【００１１】
イヤホン１は、図１（ａ）及び（ｂ）に示すように、本体部１０、イヤーピース２０、外部防水膜３０、ドライバユニット４０、ハウジング５０、バッテリー６０、アンテナ７０、係止部８０、を備える。また、イヤホン１を収納し、充電するために、図示しない充電ケースを使用する。左右独立型のイヤホンなので、ユーザは、イヤホン１をそれぞれの耳に１つずつ挿入して使用する。また、紛失防止、脱落防止のため、２個のイヤホン１は、接続部１００によって互いに接続されている。ユーザは、イヤホン１を外部機器等により操作するので操作ボタン等は不要であるが、イヤホン１を使用開始するための防水型の電源スイッチ（図示せず）がイヤホン１に設けられている。
【００１２】
本体部１０は、直径の異なる３つの略円筒形状及び円錐形状の部材を連結して形成された中空状の部材である。本体部１０は、外音とドライバユニット４０が生成する音声とをユーザの外耳道に伝達するための部材である。本体部１０は、集音部１１、送音部１２、突出部１３、を有する。
【００１３】
集音部１１は、図２に示すように、出来るだけ広範囲の外音を取り込めるようにするために、送音部１２の直径ｄ１より大きい直径ｄ２を備える略円筒形状の部分と内耳側に進むにつれて直径ｄ２から直径ｄ１へと直径が小さくなるテーパ状の曲面を備える略円錐状の部分とを有する部材である。集音部１１には、外部側の端部に外音を取り込むための開口１４が形成されている。開口１４には、後述する外部防水膜３０が張設されている。
【００１４】
ユーザの内耳側に向けて、集音部１１に連結されるように、略円筒形状の送音部１２が形成されている。送音部１２の内耳側の端部には、外音及びドライバユニット４０が生成した音声をユーザの外耳道に伝達するための開口１５が形成されている。開口１５から、開口１５を取り囲むように、イヤーピース取付部１６が設けられている。
【００１５】
集音部１１の曲面部分の下部に、略重力方向（下方向）に向けて突出部１３が形成されている。突出部１３は、略円筒形状をしており、ハウジング５０を収容して集音部１１の下部に嵌合される。
【００１６】
イヤーピース２０は、本実施形態では、基部２１から凸部２２に向けて孔部２３が貫通した略ハット形状の部材である。孔部２３には、送音部１２のイヤーピース取付部１６が嵌合される。イヤーピース２０がユーザの外耳道に挿入されることで、ユーザは、外音及びドライバユニット４０が生成する音声を聞くことが出来る。
【００１７】
外部防水膜３０は、本体部１０の開口１４に張設された、略円形の防水膜である。外部防水膜３０は、５気圧までの水は通さないが、外音を本体部１０に伝えることが出来る。外部防水膜３０の外周は、集音部１１との接合部分からの水の浸入を防ぐために、集音部１１にジェルシーリング等で接着されている。
【００１８】
ドライバユニット４０は、図３に示すように、外部機器等から取得した音声データ（音データ）から音声（音）を生成する装置である。ドライバユニット４０は、略円柱形状をしている。ドライバユニット４０は、制御部４１、記憶部４２、通信部４３、音声情報記憶部４５、スピーカ部４６、を有する。
【００１９】
制御部４１は、ＣＰＵ（Ｃｅｎｔｒａｌ  Ｐｒｏｃｅｓｓｉｎｇ  Ｕｎｉｔ）等で構成され、記憶部４２に記憶されたプログラムを実行することにより、通信部４３を介して外部機器等から取得した音声データ及び後述する音声情報記憶部４５に記憶された音声データをスピーカ部４６により音声に変換させる。また、制御部４１は、外部機器等を介したユーザの指示により、音量や音質の調節等、イヤホン１の各種設定を制御する。また、制御部４１は、他方のイヤホン１の制御部４１と同期して音声を出力する。
【００２０】
記憶部４２は、ＲＯＭ（Ｒｅａｄ  Ｏｎｌｙ  Ｍｅｍｏｒｙ)、ＲＡＭ（Ｒａｎｄｏｍ  Ａｃｃｅｓｓ  Ｍｅｍｏｒｙ）等で構成され、音声情報記憶部４５を含む。ＲＯＭには制御部４１のＣＰＵが実行するプログラム、プログラムを実行する上で予め必要なデータが記憶されている。ＲＡＭには、プログラム実行中に作成されたり変更されたりするデータが記憶される。
【００２１】
通信部４３は、外部機器等とアンテナ７０を介してＢｌｕｅｔｏｏｔｈ（登録商標）に基づく近距離無線通信を行うための無線モジュールである。通信部４３を用いることにより、イヤホン１は、外部機器等と音声データを含むデータの受け渡し等を行うことができる。
【００２２】
音声情報記憶部４５には、通信部４３を介して取得した音声データが記憶される。イヤホン１の操作ナビゲーション用の音声データ等も記憶されている。水泳等にイヤホン１を使用する場合には、通信が困難になることが想定されるので、音声情報記憶部４５は、所定の時間分の音声データを記憶出来る容量を確保することが好ましい。
【００２３】
スピーカ部４６は、音声データを変換して得られた音声を発する。スピーカ部４６は、ドライバユニット４０の上端付近に構成されている。
【００２４】
ハウジング５０は、垂直方向に延びる略円筒形状の部材であり、格納部５１と導音部５２とを有する。格納部５１は、ドライバユニット４０及びバッテリー６０を格納し、振動や衝撃等から保護する。また、開口５３を外部防水膜３０と同様の性能の防水膜５４で覆っており、防水構造となっている。
【００２５】
導音部５２は、ハウジング５０のうち、収納されたドライバユニット４０より上部の範囲を占める。導音部５２の内耳側の上端付近には、音の出口である開口５３が設けられ、開口５３には防水膜５４が張設されている。導音部５２は、スピーカ部４６が発する音声を、集音部１１を通して送音部１２へと効率良く導くための部材である。
【００２６】
バッテリー６０は、イヤホン１に電力を供給する充電池である。バッテリー６０は、ドライバユニット４０の径とほぼ同一の径を有する略円柱形状であり、ドライバユニット４０の下面に配置され、ドライバユニット４０に電気的に接続されている。イヤホン１が、電源と接続された充電ケース、又は、自身が充電された充電ケースに収納されることにより、バッテリー６０はワイヤレス充電される。
【００２７】
図１（ａ）に示すように、アンテナ７０は、略四角形状の板状部材であり、集音部１１の外部側表面に配置され、ドライバユニット４０に接続されている。
【００２８】
係止部８０は、略Ｌ字状のイヤーフックである。係止部８０は、ユーザの耳介の凹部に突出部８１を挿入されることにより、イヤホン１の脱落やずれを防ぐための部材である。嵌合部８２に本体部１０を嵌合することにより、係止部８０はイヤホン１と一体化される。係止部８０は、接続部１００を挿通可能な孔８３を有する。
【００２９】
接続部１００は、紐状部材であり、両端をそれぞれ孔８３に結びつけられることにより、イヤホン１，１を接続する。なお、本実施形態では、イヤホン１は左右独立型であるので、接続部１００は、イヤホン１，１を電気的に接続するものではない。
【００３０】
以上、イヤホン１の各部の構成を説明した。次に、イヤホン１の構造について説明する。
【００３１】
図４に示すように、導音部５２及びドライバユニット４０は、開口１４と開口１５とを結ぶいずれの直線上にも配置されない、例えば直線Ｌ１、直線Ｌ２や直線Ｌ３上に配置されない（直線Ｌ１、直線Ｌ２や直線Ｌ３に接触しない位置に配置される）。言い換えると、導音部５２及びドライバユニット４０は、直線Ｌ１，Ｌ２、開口１４，１５で囲まれた範囲Ｚ（破線の斜線で示す）内に配置されない（導音部５２及びドライバユニット４０は、範囲Ｚ外に配置されている）。
【００３２】
以上説明したように、イヤホン１のドライバユニット４０は、開口１４と開口１５とを結ぶいずれの直線上にも配置されない。従って、ドライバユニット４０が外音を遮らないので、イヤホン１を使用するユーザは、外音を聞き取りやすい。さらに、イヤホン１は、開口１４に外部防水膜３０が張設され、開口５３に防水膜５４が張設されているので、マリンスポーツでの使用に向いている。また、開口１４と開口１５とを結ぶ直線に接触しない位置に配置された導音部５２が、音声データから生成された音声を開口１５へ導くので、イヤホン１を使用するユーザは、音声データから生成された音声と外音とを聞き取りやすい。
【００３３】
また、突出部１３が略重力方向に向けて突出し、突出部１３にドライバユニット４０が配置されているので、装着時にイヤホン１の安定性が向上する。
【００３４】
（変形例）
上記実施形態では、左右独立型のイヤホン１であったが、左右一体型のイヤホン（セット）であっても良い。電気的に左右のイヤホンを接続するケーブルを備える接続部を使用することにより、バッテリーやアンテナはそれぞれ１つあれば足りるので、イヤホンを小型化できる。
【００３５】
ハウジング５０ａは、図５（ａ）及び（ｂ）に示すように、開口にリング状の防水膜５４ａを備え、孔５５内に外音を通すような構成であっても良い。これにより、外音とドライバユニット４０からの音声が識別しやすくなる。
【００３６】
また、送音部１２の内耳側端部は外音を通しやすくするために開口されていたが、防水性を高めるために送音部の端部の開口１５にも防水膜を張設しても良い。
【００３７】
上記実施形態では、導音部５２及びドライバユニット４０は、開口１４と開口１５とを結ぶいずれの直線上にも配置されないものであったが、図６に示すように、開口１４の中心Ｃ１と開口１５の中心Ｃ２とを結ぶ直線Ｌ４上に配置されないようにしても良い。言い換えると、導音部５２及びドライバユニット４０は、開口１４の中心Ｃ１と開口１５の中心Ｃ２とを結ぶ直線Ｌ４と接触しない位置に配置されていても良い。これにより、イヤホン１をより小型化できる。或いは、図６に示すように、導音部５２及びドライバユニット４０は、開口１５から開口１４（外部防水膜３０）に下ろした垂線群により形成される外音誘導空間１１０（破線の斜線で示す）内に配置されない（外音誘導空間１１０と接触しない位置に配置される）ようにしても良い。なお、ドライバユニット４０だけが、直線Ｌ４上に配置されない、或いは、外音誘導空間１１０内に配置されないようにしても良いし、範囲Ｚ内に配置されないようにしても良い。
【００３８】
集音部１１と送音部１２とは、一体の部材となっていたが、集音部１１が送音部１２に回動可能に接続され、集音部１１を回転させることにより、ユーザが外音（或いは音声データから生成された音声）を聞きやすい位置に導音部５２の位置を回転移動させても良い。サーファーズイヤー等のため、耳に聞こえにくい位置があるユーザに好適である。
【００３９】
導音部５２は、集音部１１まで伸びている構成であっても良い。これにより、ユーザは、外音とドライバユニット４０が生成する音とを識別しやすくなる。
【００４０】
アンテナ７０は、本体部１０に埋め込まれた構成となっていたが、係止部８０の中心にアンテナが埋め込まれていても良い。これにより、イヤホン１をより小型化できる。
【００４１】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【００４２】
（付記１）
イヤーピースが配置される側に設けられた第１開口と、外音取り入れのために設けられた第２開口と、を有する中空状の本体部と、
前記本体部の内部に配置され、音データに基づいて音を生成するドライバユニットと、
を備え、
前記ドライバユニットは、前記第１開口の中心と前記第２開口の中心とを結ぶ直線上に配置されない、
ことを特徴とするイヤホン。
【００４３】
（付記２）
前記第２開口に張設される防水膜をさらに備える、
ことを特徴とする付記１に記載のイヤホン。
【００４４】
（付記３）
前記本体部の内部に配置され、前記ドライバユニットが発生させた音を前記第１開口へと導く導音部をさらに備える、
ことを特徴とする付記１又は２に記載のイヤホン。
【００４５】
（付記４）
前記導音部は、前記第１開口の中心と前記第２開口の中心とを結ぶ直線上に配置されない、
ことを特徴とする付記３に記載のイヤホン。
【００４６】
（付記５）
前記導音部の音の出口として設けられた導音部の開口に、防水膜が張設される、
ことを特徴とする付記３又は４に記載のイヤホン。
【００４７】
（付記６）
前記本体部は、略重力方向に向けて突出する中空の突出部をさらに有し、
前記ドライバユニットは、前記突出部の内部に配置される、
ことを特徴とする付記１から５のいずれか１つに記載のイヤホン。
【００４８】
（付記７）
前記本体部は、前記第２開口から前記第１開口に向かうに従って径が細くなるテーパ状の曲面を有する、
ことを特徴とする付記１から６のいずれか１つに記載のイヤホン。
【００４９】
（付記８）
前記音データを所定の時間分記憶する記憶部をさらに備える、
ことを特徴とする付記１から７のいずれか１つに記載のイヤホン。
【００５０】
（付記９）
アンテナを内蔵したイヤーフックをさらに備える、
ことを特徴とする付記１から８のいずれか１つに記載のイヤホン。
【００５１】
（付記１０）
付記１から９のいずれか１つに記載のイヤホンを互いに電気的に接続する接続部を備える、
ことを特徴とするイヤホンセット。
【符号の説明】
【００５２】
１…イヤホン、１０…本体部、１１…集音部、１２…送音部、１３…突出部、１４，１５，５３…開口、１６…イヤーピース取付部、２０…イヤーピース、２１…基部、２２…凸部、２３…孔部、３０…外部防水膜、４０…ドライバユニット、４１…制御部、４２…記憶部、４３…通信部、４５…音声情報記憶部、４６…スピーカ部、５０，５０ａ…ハウジング、５１…格納部、５２…導音部、５４，５４ａ…防水膜、５５…孔、６０…バッテリー、７０…アンテナ、８０…係止部、８１…突出部、８２…嵌合部、８３…孔、１００…接続部、１１０…外音誘導空間、Ｃ１，Ｃ２…中心、Ｌ１，Ｌ２，Ｌ３，Ｌ４…直線
【図１】
2020057979.tif 000003
【図２】
2020057979.tif 000004
【図３】
2020057979.tif 000005
【図４】
2020057979.tif 000006
【図５】
2020057979.tif 000007
【図６】
2020057979.tif 000008